(57)【要約】【課題】一斉指令制御装置の負荷を減らすことが可能であり、また、端末局が無人であっても統制局へ防災情報を受信したことを通知することが可能な防災システムを提供する。【解決手段】指令台１１から防災情報の一斉送信が発令されると、一斉指令制御装置１２からの指示によりＩＰ電話サーバ１３は、統制局１０と一斉送信の対象となる端末局２０−１〜２０−３との間でＩＰ網を介した通信回線を確立させる。統制局１０は、確立した通信回線を用いて端末局２０−１〜２０−３へ防災情報を一斉に送信する。端末局２０−１〜２０−３は、防災情報の受信が完了すると、統制局１０へ受信完了信号を送信する。ＩＰ電話サーバ１３は、端末局２０−１〜２０−３からの受信完了信号を受け取り、通信回線を確立した端末局のうち応答の無い端末局を判別して一斉指令制御装置１２へ通知するようにしている。【選択図】      図１
2010103636.tif 000002
【特許請求の範囲】
【請求項１】
防災情報を送信する親局と、前記親局とＩＰ（Internet Protocol）網を介して接続可能な複数の子局とを具備する防災システムにおいて、
前記親局は、
前記複数の子局のうち送信対象の子局を指定する指定手段と、
前記指定された子局へ呼接続制御を行い、前記親局と前記指定された子局との間に前記ＩＰ網を介した通信回線を確立させるＩＰ電話サーバと、
前記確立された通信回線を使用して前記指定された子局へ前記防災情報を一斉に送信する送信手段と
を備え、
前記複数の子局は、
前記防災情報を受信して報知する報知手段と、
前記受信した防災情報を記憶すると共に、前記防災情報の受信が終了したか否かを判定する判定手段と、
前記防災情報の受信が終了したと判定された場合、受信完了信号を前記ＩＰ電話サーバへ返す応答手段と
を備えることを特徴とする防災システム。
【発明の詳細な説明】
【技術分野】
【０００１】
本発明は、統制局から複数の端末局へ防災情報を一斉に送信する防災システムに関する。
【背景技術】
【０００２】
自治体等が採用する防災システムでは、例えば防災センター等の統制局から各市町村に設置される複数の端末局へ防災情報が一斉に送信されるようになっている（例えば、特許文献１参照）。
統制局は、指令台により一斉指令で送信する情報の区分（音声、ファクシミリデータ又は電子データ等）を選択し、情報を一斉送信する対象局を選択し一斉送信の発令を掛ける。一斉指令制御装置は、発令を受けると対象局の被一斉指令制御装置に対して１対Ｎの通信回線を確立し、マイク、ＦＡＸ及びＰＣ等の送信機にその通信回線を利用して防災情報を一斉に送信させる。
【０００３】
端末局は、被一斉指令制御装置により、一斉送信された情報の区分に合わせて、電話機、ＦＡＸ又はＰＣ等の受信機のいずれかに防災情報を受信させる。一斉送信された防災情報の受信は、端末局のユーザにより確認される。ユーザは、受信を確認すると、受信機の釦操作等を行い、受信完了信号を統制局へ送信する。送信された受信完了信号は、被一斉指令制御装置から一斉指令制御装置へ伝えられ、一斉指令制御装置は、受け取った受信完了信号から防災情報を受信していない端末局を判別し、その情報を指令台へ通知する。
【０００４】
【特許文献１】特開平０６−２２４８１７号公報
【発明の開示】
【発明が解決しようとする課題】
【０００５】
ところが、上述のような防災システムでは、統制局の一斉指令制御装置が全ての処理を集中制御しているため、一斉指令制御装置に大きな負荷がかかってしまっている。このため、一斉指令制御装置の処理速度が低下したり、端末局からの受信完了信号を取りこぼすという問題がある。また、上述のような防災システムでは、端末局が無人である場合、防災信号を受信していても受信完了信号を返せないという問題がある。
【０００６】
本発明は上記事情によりなされたもので、その目的は、一斉指令制御装置の負荷を減らすことが可能であり、また、端末局が無人であっても統制局へ防災情報を受信したことを通知することが可能な防災システムを提供することにある。
【課題を解決するための手段】
【０００７】
上記目的を達成するため、本発明に係る防災システムは、防災情報を送信する親局と、前記親局とＩＰ（Internet Protocol）網を介して接続可能な複数の子局とを具備する防災システムにおいて、前記親局は、前記複数の子局のうち送信対象の子局を指定する指定手段と、前記指定された子局へ呼接続制御を行い、前記親局と前記指定された子局との間に前記ＩＰ網を介した通信回線を確立させるＩＰ電話サーバと、前記確立された通信回線を使用して前記指定された子局へ前記防災情報を一斉に送信する送信手段とを備え、前記複数の子局は、前記防災情報を受信して報知する報知手段と、前記受信した防災情報を記臆すると共に、前記防災情報の受信が終了したか否かを判定する判定手段と、前記防災情報の受信が終了したと判定された場合、受信完了信号を前記ＩＰ電話サーバへ返す応答手段とを備えることを特徴とする。
【発明の効果】
【０００８】
したがって、統制局は、ＩＰ電話サーバにより端末局との間でＩＰ網を介した通信回線を確立し、この通信回線を介して防災情報の一斉送信を行うようにしている。また、受信完了信号をＩＰ電話サーバで行うようにしている。このため、一斉指令制御装置が行う処理が従来のシステムと比較して少なくてすむようになる。また、端末局は、受信される防災情報の受信が終了したか否かを判定し、終了した場合、受信完了信号をＩＰ電話サーバへ返すようにしている。このため、端末局が無人であっても、受信完了信号を統制局に返すことが可能となる。
【０００９】
すなわち、本発明によれば、一斉指令制御装置の負荷を減らすことが可能であり、また、端末局が無人であっても統制局へ防災情報を受信したことを通知することが可能な防災システムを提供することができる。
【発明を実施するための最良の形態】
【００１０】
以下、図面を参照しながら本発明に係る防災システムの実施の形態について詳細に説明する。
図１は、本発明の一実施形態に係る防災システムの構成を示す模式図である。防災システムは、統制局１０と、複数の端末局２０−１〜２０−３とを具備する。統制局１０と端末局２０−１〜２０−３とは、例えばＥｔｈｅｒｎｅｔ（登録商標）等のＩＰ網を含む通信ネットワーク３０で接続される。
【００１１】
統制局１０は、指令台１１を備える。指令台１１は、バス１８を介して一斉指令制御装置１２、ＩＰ電話サーバ１３、ＦＡＸ１５、ＰＣ１６及びルータ１７と接続する。また、指令台１１には、マイク１４が接続されている。統制局１０は、ルータ１７を介して通信ネットワーク３０と接続している。
【００１２】
指令台１１は、防災情報の一斉送信の際には、送信する情報の区分（音声、ファクシミリデータ又は電子データ）を選択する。そして、指令台１１は、防災情報の送信対象となる端末局２０−１〜２０−３を選択し発令を掛ける。
一斉指令制御装置１２は、一斉送信の発令がかかると、送信対象となる端末局２０−１〜２０−３の電話番号等の情報をＩＰ電話サーバ１３へ転送する。また、一斉指令制御装置１２は、送信される防災情報を記録しておき、防災情報を受信していない端末局に関する通知があると、送信機（マイク１４、ＦＡＸ１５又はＰＣ１６）に記録した防災情報をその局へ再送信させる。
【００１３】
ＩＰ電話サーバ１３は、統制局１０と端末局２０−１〜２０−３との間で通信を開始するためのものであり、例えばＳＩＰ（Session Initiation Protocol）サーバである。ＩＰ電話サーバ１３は、一斉指令制御装置１２から端末局の情報を受けると、その情報に基づいて各端末局へ呼接続制御を行い、統制局１０と端末局２０−１〜２０−３との間で１対Ｎの通信回線を確立させる。また、ＩＰ電話サーバ１３は、端末局から例えばセッション終了通知（ＢＹＥ）等の受信完了信号を受け取った場合、通信回線を確立した端末局のうち応答の無い端末局を判別して一斉指令制御装置１２へ通知する。
【００１４】
マイク１４、ＦＡＸ１５及びＰＣ１６は、ＩＰ電話サーバ１３により通信回線が確立されると、一斉指令制御装置１２の指示によりそのいずれかから、防災情報を端末局２０−１〜２０−３へ一斉送信する。
端末局２０−１は、バス２６−１により接続された被一斉指令制御装置２１−１、電話機２２−１、ＦＡＸ２３−１、ＰＣ２４−１及びルータ２５−１を備える。端末局２０−２は、バス２６−２により接続された被一斉指令制御装置２１−２、電話機２２−２、ＦＡＸ２３−２、ＰＣ２４−２及びルータ２５−２を備える。端末局２０−３は、バス２６−３により接続された被一斉指令制御装置２１−３、電話機２２−３、ＦＡＸ２３−３、ＰＣ２４−３及びルータ２５−３を備える。
【００１５】
被一斉指令制御装置２１−１は、防災情報を受け取ると、その情報の区分に従って電話機２２−１、ＦＡＸ２３−１及びＰＣ２４−１のいずれかへ防災情報を流す。被一斉指令制御装置２１−１は、防災情報を流すと共に、その防災情報を記録する。
また、被一斉指令制御装置２１−１は、防災情報の受信が終了したか否かを判定し、終了したと判定した場合、防災情報の記録を停止すると共に、ＩＰ電話サーバ１３へ例えばセッション終了通知（ＢＹＥ）等の受信完了信号を送信する。そして、被一斉指令制御装置２１−１は、端末局２０−１のユーザに対して受令確認を促す。被一斉指令制御装置２１−１は、一定時間受令確認が無い場合、受令確認なしとする。被一斉指令制御装置２１−１は、ユーザから電話機２２−１、ＦＡＸ２３−１及びＰＣ２４−１のいずれかに対して受令確認の要請がある場合、記録した防災情報を要請を受けた機器へ出力する。
【００１６】
次に、上記構成における防災システムの動作について詳細に説明する。なお、ここでは端末局２０−１〜２０−３が防災情報の送信対象として選定される例を説明する。また、端末局２０−１〜２０−３のうち端末局２０−１は、防災情報の受信に失敗するものとする。図２は、統制局１０のマイク１４から防災情報が音声で一斉送信される際のシーケンス図である。
【００１７】
まず、一斉指令制御装置１２は、指令台１１から防災情報の一斉送信が発令されると（Ｓ２１）、送信対象となる端末局の情報をＩＰ電話サーバ１３へ転送する（Ｓ２２）。ＩＰ電話サーバ１３は、その情報に基づいて送信対象となる端末局に対して個接続制御を行い、統制局１０と端末局２０−１〜２０−３との間で通信回線を確立させる（Ｓ２３）。一斉指令制御装置１２は、通信回線が確立されると、マイク１４に一斉指令音声を送信させると共に、その内容を録音する（Ｓ２４）。
【００１８】
送信された一斉指令音声は、端末局２０−２，２０−３で受信される。被一斉指令制御装置２１−２，２１−３は、受信した音声を電話機２２−２，２２−３へそれぞれ流すと共に内容を録音する（Ｓ２５）。被一斉指令制御装置２１−２，２１−３は、一斉指令音声が終了したか否かを判定し、終了したと判定した場合、録音を停止すると共に受信完了信号を統制局１０へ送信する。
【００１９】
被一斉指令制御装置２１−２，２１−３は、受信完了信号を送信すると、端末局２０−２，２０−３のユーザへ受令確認を促す（Ｓ２６）。被一斉指令制御装置２１−２，２１−３は、一定時間、受令確認が無い場合、受令確認なしとする（Ｓ２７）。被一斉指令制御装置２１−２，２１−３は、端末局２０−２，２０−３において一斉指令音声の内容を聞けなかったユーザが電話機２２−１を介して受令確認の要請をした場合、記録した一斉指令音声の内容を再生する（Ｓ２８）。
【００２０】
統制局１０は、受信完了信号を受けると、ＩＰ電話サーバ１３により、通信回線を確立した端末局２０−１〜２０−３のうち応答の無い端末局を判別して一斉指令制御装置へ通知する。
一斉指令制御装置１２は、受信完了信号を送信していない端末局２０−１へ一斉指令音声の録音内容を再度送信する（Ｓ２９）。
【００２１】
送信された一斉指令音声は、端末局２０−１で受信される。被一斉指令制御装置２１−１は、受信した音声を電話機２２−１へ流すと共に内容を録音する（Ｓ２１０）。被一斉指令制御装置２１−１は、一斉指令音声が終了すると録音を停止すると共に受信完了信号を統制局１０へ送信する。
【００２２】
被一斉指令制御装置２１−１は、受信完了信号を送信すると、端末局２０−１のユーザへ受令確認を促す（Ｓ２１１）。被一斉指令制御装置２１−１は、一定時間、受令確認が無い場合、受令確認なしとする（Ｓ２１２）。被一斉指令制御装置２１−１は、端末局２０−１において一斉指令音声の内容を聞けなかったユーザが電話機２２−１を介して受令確認の要請をした場合、記録した一斉指令音声の内容を再生する（Ｓ２１３）。
【００２３】
これにより、選択された全ての端末局で一斉指令音声が受信されることとなる。
図３は、統制局１０のＦＡＸ１５から防災情報がファクシミリデータで一斉送信される際のシーケンス図である。
まず、一斉指令制御装置１２は、指令台１１から防災情報の一斉送信が発令されると（Ｓ３１）、送信対象となる端末局の情報をＩＰ電話サーバ１３へ転送する（Ｓ３２）。ＩＰ電話サーバ１３は、その情報に基づいて送信対象となる端末局に対して個接続制御を行い、統制局１０と端末局２０−１〜２０−３との間で通信回線を確立させる（Ｓ３３）。一斉指令制御装置１２は、通信回線が確立されると、ＦＡＸ１５にＦＡＸ一斉指令情報を送信させると共に、その内容を記録する（Ｓ３４）。
【００２４】
送信されたＦＡＸ一斉指令情報は、端末局２０−２，２０−３で受信される。被一斉指令制御装置２１−２，２１−３は、受信したファクシミリデータをＦＡＸ２３−２，２３−３へそれぞれ流すと共に内容を記録する（Ｓ３５）。被一斉指令制御装置２１−２，２１−３は、ＦＡＸ一斉指令情報が終了したか否かを判定し、終了した場合、記録を停止すると共に受信完了信号を統制局１０へ送信する。
【００２５】
被一斉指令制御装置２１−２，２１−３は、受信完了信号を送信すると、端末局２０−２，２０−３のユーザへ受令確認を促す（Ｓ３６）。被一斉指令制御装置２１−２，２１−３は、一定時間、受令確認が無い場合、受令確認なしとする（Ｓ３７）。被一斉指令制御装置２１−２，２１−３は、端末局２０−２，２０−３においてＦＡＸ一斉指令情報が印刷されたＦＡＸ用紙を紛失してしまったユーザがＦＡＸ２３−２，２３−３を介して受令確認の要請をした場合、記録したＦＡＸ一斉指令情報をＦＡＸ２３−２，２３−３から出力する（Ｓ３８）。
【００２６】
統制局１０は、受信完了信号を受けると、ＩＰ電話サーバ１３により、通信回線を確立した端末局２０−１〜２０−３のうち応答の無い端末局を判別して一斉指令制御装置へ通知する。
一斉指令制御装置１２は、受信完了信号を送信していない端末局２０−１へＦＡＸ一斉指令情報の記録内容を再度送信する（Ｓ３９）。
【００２７】
送信されたＦＡＸ一斉指令情報は、端末局２０−１で受信される。被一斉指令制御装置２１−１は、受信したファクシミリデータをＦＡＸ２３−１へ流すと共に内容を記録する（Ｓ３１０）。被一斉指令制御装置２１−１は、ＦＡＸ一斉指令情報が終了すると記録を停止すると共に受信完了信号を統制局１０へ送信する。
【００２８】
被一斉指令制御装置２１−１は、受信完了信号を送信すると、端末局２０−１のユーザへ受令確認を促す（Ｓ３１１）。被一斉指令制御装置２１−１は、一定時間、受令確認が無い場合、受令確認なしとする（Ｓ３１２）。被一斉指令制御装置２１−１は、端末局２０−１においてＦＡＸ一斉指令情報が印刷されたＦＡＸ用紙を紛失してしまったユーザがＦＡＸ２３−１を介して受令確認の要請をした場合、記録したＦＡＸ一斉指令情報をＦＡＸ２３−１から出力する（Ｓ３１３）。
【００２９】
これにより、選択された全ての端末局でＦＡＸ一斉指令情報が受信されることとなる。
図４は、統制局１０のＰＣ１６から防災情報が電子データで一斉送信される際のシーケンス図である。
まず、一斉指令制御装置１２は、一斉送信される予定の一斉送信データをＰＣ１６から取り込んで記録する（Ｓ４１）。指令台１１から防災情報の一斉送信が発令されると（Ｓ４２）、送信対象となる端末局の情報をＩＰ電話サーバ１３へ転送する（Ｓ４３）。ＩＰ電話サーバ１３は、その情報に基づいて送信対象となる端末局に対して個接続制御を行い、統制局１０と端末局２０−１〜２０−３との間で通信回線を確立させる（Ｓ４４）。一斉指令制御装置１２は、通信回線が確立されると、ＰＣ１６に一斉送信データを送信させると共に、その内容を記録する（Ｓ４５）。
【００３０】
送信された一斉送信データは、端末局２０−２，２０−３で受信される。被一斉指令制御装置２１−２，２１−３は、受信した送信データをＰＣ２４−２，２４−３へそれぞれ転送すると共に内容を記録する（Ｓ４６）。被一斉指令制御装置２１−２，２１−３は、一斉送信データが終了したか否かを判定し、終了したと判定した場合、記録を停止すると共に受信完了信号を統制局１０へ送信する。
【００３１】
被一斉指令制御装置２１−２，２１−３は、受信完了信号を送信すると、端末局２０−２，２０−３のユーザへ受令確認を促す（Ｓ４７）。被一斉指令制御装置２１−２，２１−３は、一定時間、受令確認が無い場合、受令確認なしとする（Ｓ４８）。被一斉指令制御装置２１−２，２１−３は、端末局２０−２，２０−３において一斉送信データを消去してしまったユーザがＰＣ２４−２，２４−３を介して受令確認の要請をした場合、記録した一斉送信データをＰＣ２４−２，２４−３から出力する（Ｓ４９）。
【００３２】
統制局１０は、受信完了信号を受けると、ＩＰ電話サーバ１３により、通信回線を確立した端末局２０−１〜２０−３のうち応答の無い端末局を判別して一斉指令制御装置へ通知する。
一斉指令制御装置１２は、受信完了信号を送信していない端末局２０−１へ一斉送信データの記録内容を再度送信する（Ｓ４１０）。
【００３３】
送信された一斉送信データは、端末局２０−１で受信される。被一斉指令制御装置２１−１は、受信した送信データをＰＣ２４−１へ転送すると共に内容を記録する（Ｓ４１１）。被一斉指令制御装置２１−１は、一斉送信データが終了すると記録を停止すると共に受信完了信号を統制局１０へ送信する。
【００３４】
被一斉指令制御装置２１−１は、受信完了信号を送信すると、端末局２０−１のユーザへ受令確認を促す（Ｓ４１２）。被一斉指令制御装置２１−１は、一定時間、受令確認が無い場合、受令確認なしとする（Ｓ４１３）。被一斉指令制御装置２１−１は、端末局２０−１において一斉送信データを消去してしまったユーザがＰＣ２４−１を介して受令確認の要請をした場合、記録した一斉送信データをＰＣ２４−１から出力する（Ｓ４１４）。
【００３５】
これにより、選択された全ての端末局で一斉送信データが受信されることとなる。
以上のように、上記一実施形態では、ＩＰ電話サーバ１３は、一斉指令制御装置１２からの指示を受け、端末局２０−１〜２０−３に対して呼接続制御を行い、統制局１０と端末局２０−１〜２０−３との間で通信回線を確立させる。また、端末局２０−１〜２０−３からの受信完了信号をＩＰ電話サーバ１３で受け取り、通信回線を確立した端末局のうち応答の無い端末局を判別して一斉指令制御装置１２へ通知するようにしている。
【００３６】
これにより、一斉指令制御装置１２の負荷をＩＰ電話サーバ１３に分散することが可能となる。すなわち、従来の一斉指令制御装置と比較して一斉指令制御装置１２の処理速度は向上することとなり、また、受信完了信号の取りこぼしがなくなることが期待できる。
【００３７】
また、上記一実施形態では、端末局２０−１〜２０−３において防災情報の受信が終了したか否かを判定し、受信が終了した場合、被一斉指令制御装置２１−１〜２１−３は統制局１０へ受信完了信号を送信するようにしている。
これにより、端末局２０−１〜２０−３が無人であっても、防災情報の受信が完了した場合には受信完了信号を統制局１０へ自動で送信することが可能となる。また、被一斉指令制御装置２１−１〜２１−３は、受信される防災情報を記録しているため、各端末局２０−１〜２０−３のユーザは、希望したときに防災情報の内容を確認することが可能となる。
【００３８】
したがって、本発明に係る防災システムは、一斉指令制御装置の負荷を減らすことができ、また、端末局が無人であっても統制局へ防災情報を受信したことを通知することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３９】
【図１】本発明の一実施形態に係る防災システムの構成を示す模式図である。
【図２】図１のマイクから防災情報が音声で一斉送信される際のシーケンス図である。
【図３】図１のＦＡＸから防災情報がファクシミリデータで一斉送信される際のシーケンス図である。
【図４】図１のＰＣから防災情報が電子データで一斉送信される際のシーケンス図である。
【符号の説明】
【００４０】
１０…統制局
１１…指令台
１２…一斉指令制御装置
１３…ＩＰ電話サーバ
１４…マイク
１５…ＦＡＸ
１６…ＰＣ
１７…ルータ
１８…バス
２０−１，２０−２，２０−３…端末局
２１−１，２１−２，２１−３…被一斉指令制御装置
２２−１，２２−２，２２−３…電話機
２３−１，２３−２，２３−３…ＦＡＸ
２４−１，２４−２，２４−３…ＰＣ
２５−１，２５−２，２５−３…ルータ
２６−１，２６−２，２６−３…バス
３０…通信ネットワーク
【図１】
2010103636.tif 000003
【図２】
2010103636.tif 000004
【図３】
2010103636.tif 000005
【図４】
2010103636.tif 000006